(57)【要約】【課題】  安全で洗浄効果が高く、こすり洗いに適したコンタクトレンズ用液剤を提供する。【解決手段】  増粘剤と０.０５〜１０％の緩衝剤とを含有し、２０℃での粘度が５〜５０cpsであることを特徴とするコンタクトレンズ用液剤（但し該液剤を、ポリエチレン、ポリプロピレン、ポリエチレンテレフタレート及びポリカーボネートからなる群から選択される素材を用いたプラスチック製容器に充填してなる場合を除く）。【選択図】    なし【特許請求の範囲】
【請求項１】
増粘剤と０.０５〜１０％の緩衝剤とを含有し、２０℃での粘度が５〜５０cpsであることを特徴とするコンタクトレンズ用液剤（但し該液剤を、ポリエチレン、ポリプロピレン、ポリエチレンテレフタレート及びポリカーボネートからなる群から選択される素材を用いたプラスチック製容器に充填してなる場合を除く）。
【発明の詳細な説明】
【技術分野】
【０００１】
本発明は、コンタクトレンズ用液剤に関し、さらに詳しくは、コンタクトレンズのこすり洗いに適した粘度を安定に保つことができ、安全で洗浄効果が高いコンタクトレンズ用液剤に関するものである。
【背景技術】
【０００２】
コンタクトレンズは直接目に挿入する医療用具であるため、装用による蛋白質、脂質、無機塩などの生体由来物質による汚染は避けられない。また、日常の取り扱いにより、化粧品、ハンドクリーム、ヘアスプレー等の付着や、空気中の塵等の付着によっても汚染される。これらの汚染の結果、レンズの寿命が短縮したり、レンズが曇って装用感を悪化させるのみならず、酸素透過性の低下や、感染症による眼の障害を招く恐れもある。上記の問題を回避するには、コンタクトレンズを、適切に維持するために様々なケア用品が必要である。
通常、コンタクトレンズを洗浄するには、界面活性剤や研磨剤を含有する洗浄液によるこすり洗いや、酵素等を含有する洗浄液に浸漬することにより洗浄する。
一方、コンタクトレンズを保存するには、洗浄したコンタクトレンズを専用の保存液に保存する場合と、保存液を兼ねた洗浄液（洗浄保存液）に保存する場合とがある。
さらには、市販されている消毒液（例えば、商品名「オプティ・フリー」）には洗浄、消毒、保存がすべて一剤でできるものもある。
【０００３】
上記のごとく、コンタクトレンズには生体及び外界由来の物質が付着する可能性があり、その汚染物質の多様性から様々な洗浄液が提供されているが、それらは、必ずしも、眼及びレンズに対して安全で、洗浄効果が高いとは言えない。例えば、従来のコンタクトレンズ洗浄液としては、研磨剤や強力な界面活性剤を配合することにより洗浄効果を高めたものがあるが、これらは、レンズ素材を損傷する恐れがあるばかりか、残留した場合には眼への悪影響も危惧される。
【発明の開示】
【発明が解決しようとする課題】
【０００４】
コンタクトレンズ及び眼に対して安全であって、洗浄効果が高いコンタクトレンズ洗浄液を開発することができれば、そのような安全性の高い洗浄液は同時にコンタクトレンズ保存液としても有用であり、広範な用途を有するコンタクトレンズ用液剤として用いることができる。
既述のごとく、コンタクトレンズの洗浄法には、こすり洗いと浸漬洗いがあるが、安全性の高い洗浄液を用いて効率良く洗浄するには、化学的な洗浄効果に物理的な効果が加味される点から、こすり洗い洗浄が適すると考えられる。
このような観点から、本発明者らは、研磨剤や強力な界面活性剤を用いずに、安全かつ効果的にコンタクトレンズをこすり洗いするための洗浄液であって、コンタクトレンズ保存液としても有用なコンタクトレンズ用液剤を開発することを目的として、鋭意、研究を重ねた。その過程で、洗浄に用いる液剤の粘度を、こすり洗いし易く汚染物質の除去に適し、かつすすぎ易い粘度に調節することにより、上記目的に適う液剤を得ることができることに着目するに至った。しかしながら、そのような液剤を得るには、最小限、以下の課題を解決する必要があった。
【０００５】
（１）適切な粘度の設定
粘度が低すぎると、すすぎは容易であるが、洗浄効果が低下し、粘度が高すぎると、使用感が悪い上、すすぎが困難で洗浄液が残存する恐れがあり、また、保存液として不適当である。
（２）粘度の安定性
通常、液剤の粘度は経時的に低下する傾向があることが知られている。
これらの課題を解決するためには、適切な成分（増粘剤、緩衝剤等）を選択し、それらを適切な比率で配合する必要があるが、そのような目的に適うコンタクトレンズ用液剤は提供されていない。例えば、コンタクトレンズ消毒溶液（特表平８−５０４６２３）、コンタクトレンズ用保存洗浄剤（特開平５−１７３０９８）等が開示されているが、いずれも、上記の課題を解決に導くものではない。
【課題を解決するための手段】
【０００６】
本発明者らは、増粘剤、一定濃度の緩衝剤、及び所望により適量の塩とを用いることにより上記の課題を解決することができ、洗浄効果と粘度安定性が高く、安全なコンタクトレンズ用液剤が得られることを見出し、本発明を完成するに至った。即ち、本発明は、０.０５〜１０％の緩衝剤と増粘剤とを含有し、２０℃での粘度が５〜５０cpsであることを特徴とするコンタクトレンズ用液剤を提供するものである。
【０００７】
従って、本発明は以下を提供する。
（１）増粘剤と０.０５〜１０％の緩衝剤とを含有し、２０℃での粘度が５〜５０cpsであることを特徴とするコンタクトレンズ用液剤。
（２）緩衝剤がホウ酸系緩衝剤又はリン酸系緩衝剤である項目（１）記載のコンタクトレンズ用液剤。
（３）増粘剤がポリビニルピロリドン、ポリビニルアルコール、ヒドロキシエチルセルロース、ヒドロキシプロピルメチルセルロース及びポリエチレングリコールからなる群から選択される項目（１）又は（２）記載のコンタクトレンズ用液剤。
（４）さらに、塩化ナトリウムを、緩衝剤に対して２〜１０倍の比率で含有する項目（１）〜（３）のいずれかに記載のコンタクトレンズ用液剤。
（５）こすり洗いに用いることができる項目（１）〜（４）のいずれかに記載のコンタクトレンズ用液剤。
（６）粘度が、円すい−平板計回転粘度計を用いる方法で、２０℃において測定した値である項目（１）〜（５）のいずれかに記載のコンタクトレンズ用液剤。
（７）プラスチック製容器に充填されている項目（１）〜（６）のいずれかに記載のコンタクトレンズ用液剤。
（８）プラスチックがポリエチレン、ポリプロピレン、ポリエチレンテレフタレート又はポリカーボネートからなる群から選択される項目（７）記載のコンタクトレンズ用液剤。
【発明を実施するための最良の形態】
【０００８】
本発明のコンタクトレンズ用液剤の粘度の調節には、当該技術分野で通常使用される増粘剤から選択される任意の増粘剤を用いることができる。しかし、本発明の目的から、ポリビニルピロリドン、ポリビニルアルコール、ヒドロキシエチルセルロース、ポリエチレングリコール及びヒドロキシプロピルメチルセルロースが好ましく、ポリビニルピロリドン及びヒドロキシエチルセルロースがより好ましい。これらの増粘剤は市販品から容易に入手することができる。
一般に増粘剤は、分子量によって粘度が異なるため、適量を加えて目的の粘度に調節する。本発明のコンタクトレンズ用液剤の粘度は、通常、５〜５０cps［センチポアズ；１０-3Ｐa・s（Ｐa・s＝kgm-1ｓ-1）］の範囲であり、好ましくは８〜２５cps、より好ましくは１０〜２０cpsに調節するとよい。なお、５cps未満又は５０cpsより高い粘度では、コンタクトレンズ洗浄におけるこすり易さ及びすすぎ易さに問題があり不適当である。
なお、本明細書中、本発明のコンタクトレンズ用液剤に関して、「粘度」は、後述の円すい−平板形回転粘度計を用いる方法で、原則として、２０℃において測定した値を指す。
【０００９】
緩衝剤としては、当該技術分野で通常用いられる緩衝剤、例えば、ホウ酸系、リン酸系、炭酸系、クエン酸系、酒石酸系、乳酸系、酢酸系、フタル酸系等の緩衝剤を用いることができるが、本発明のコンタクトレンズ用液剤の粘度を安定に保持するためには、ホウ酸系又はリン酸系緩衝剤が好ましく、ホウ酸系緩衝剤が特に好ましい。液剤中の緩衝剤の含有量は、粘度安定性が確保されるに充分な量であれば良い。適切な量は緩衝剤の種類、他の添加剤との関係により此処の処方で変動するが、一般に、液剤中に０.０５〜１０（w/v）％、好ましくは０.１〜２％の濃度になるよう、含有させる。
【００１０】
さらに、本発明のコンタクトレンズ用液剤には、所望により、適量の塩化ナトリウムを加えるとよい。後述の試験例に示すように、ある種の素材からなるコンタクトレンズはホウ素イオンにより膨張するが、適量の塩化ナトリウムを添加することにより、膨張を阻止することができる。そのような目的で本発明のコンタクトレンズ用液剤に含有させる場合には、塩化ナトリウムの濃度は、当該技術分野で一般に用いられる濃度よりも高い。具体的には、塩化ナトリウム濃度は緩衝剤の濃度の２〜１０倍であることが好ましく、２〜６倍であることがより好ましい。なお、塩化ナトリウム濃度が緩衝剤の濃度の１０倍を越すと、液剤の浸透圧が高くなり過ぎる恐れがあるために、好ましくない。
【００１１】
本発明のコンタクトレンズ用液剤は、適度の粘度を有し、こすり洗いができる洗浄液、洗浄保存液、消毒液、コンタクトレンズ装着液、コンタクトレンズ保存液として有用である。
後述する試験例に示すように、該液剤はプラスチック容器に充填して保存することにより、粘度安定性がより高くなる。プラスチック素材としては、ポリエチレン、ポリプロピレン、ポリエチレンテレフタレート、ポリカーボネート、ポリエチレンナフタレート、Ｕポリマーなどが挙げられるが、特に好ましいプラスチック素材はポリエチレン、ポリプロピレン、ポリエチレンテレフタレート、ポリカーボネートである。プラスチック以外の容器（例、ガラス）は、粘度低下が起こる恐れがあり、好ましくない。
従って、本発明はまた、プラスチック容器、好ましくはポリエチレン、ポリプロピレン、ポリエチレンテレフタレート又はポリカーボネート製の容器に充填してなるコンタクトレンズ用液剤を提供するものである。
【００１２】
本発明のコンタクトレンズ用液剤は、上記の増粘剤、緩衝剤及び所望により塩化ナトリウムを含有するが、これらに加えて、当該技術分野で通常用いられる任意の成分を、本発明の目的に反しないことを条件として含有させることができる。そのような成分としては、安定化剤、防腐剤、界面活性剤、ｐＨ調整剤、等張化剤、アミノ酸類、各種酵素等を挙げることができる。
安定化剤として、エデト酸、エデト酸塩（エデト酸二ナトリウム、エデト酸カルシウム二ナトリウム、エデト酸三ナトリウム、エデト酸四ナトリウム）等、防腐剤としてソルビン酸、ソルビン酸カリウム、パラオキシ安息香酸エステル類、グルコン酸クロルヘキシジン、塩化ベンザルコニウム、塩化ベンゼトニウム等が挙げられる。
界面活性剤としては、ポリソルベート８０、ポロクサマー類、モノオレイン酸ＰＯＥ（２０）ソルビタン等のＰＯＥソルビタン脂肪酸エステル類、ＰＯＥ（６０）硬化ヒマシ油等のＰＯＥ硬化ヒマシ油、ＰＯＥ（９）ラウリルエーテル等のＰＯＥアルキルエーテル類、ＰＯＥ（２０）ＰＯＰ（４）セチルエーテル等のＰＯＥ・ＰＯＰアルキルエーテル類、ＰＯＥ（１０）ノニルフェニルエーテル等のＰＯＥアルキルフェニルエーテル類、ＰＯＥ（１０）ラウリルエーテルリン酸ナトリウム等のＰＯＥアルキルエーテルリン酸及びその塩、ラウロイルメチルアラニンナトリウム等のＮ−アシルアミノ酸塩、アルキルエーテルカルボン酸塩、Ｎ−ココイルメチルタウリンナトリウム等のＮ−アシルタウリン塩、テトラデセンスルホン酸ナトリウム等のスルホン酸塩、ラウリル硫酸ナトリウム等のアルキル硫酸塩、ＰＯＥ（３）ラウリルエーテル硫酸ナトリウム等のＰＯＥアルキルエーテル硫酸塩、ラウリルジメチルアミノ酢酸ベタイン等の酢酸ベタイン型両性界面活性剤、アルキルポリアミノエチルグリシン等のグリシン型両性界面活性剤、イミダゾリン型両性界面活性剤等が挙げられる。（以上、ＰＯＥはポリオキシエチレン、ＰＯＰはポリオキシプロピレンの略である。）
また、ｐＨ調整剤として塩酸、酢酸、水酸化ナトリウム等、等張化剤としてグリセリン、プロピレングリコール、ブドウ糖、マンニトール、ソルビトール等が挙げられる。
さらに、酵素としては、脂質分解酵素、蛋白分解酵素、アミラーゼ、セルラーゼ等が挙げられる。
本発明のコンタクトレンズ用液剤をソフトレンズに適用する場合、通常、ｐＨは、５.５〜８.０、浸透圧は、１５０〜５００m Osm程度とする。
【実施例】
【００１３】
以下に、実施例を挙げて本発明を詳しく説明するが、本発明はこれらに限定されるものではない。
本発明の眼科用組成物の粘度は以下の方法又はそれと同等の結果を与える方法により測定される。
粘度測定法
粘度は、円すい−平板形回転粘度計を用いる方法で測定する。この方法は、NEW FOOD INDUSTRY Vol. 22, No. 4-6, 1980 (川崎種一)及び第十三改正日本薬局法に記載の、一般試験法、３６．粘度測定法、第２法 回転粘度計法、（３）円すい−平板形回転粘度計の項に記載の方法と同様である。
【００１４】
（１）円すい−平板形回転粘度計による粘度測定について
第１図の簡略化した円すい−平板形回転粘度計により、一般的な手法を説明する。まず、円すい（コーンロータ）１と平円板（プレート）２との間の角度αの隙間に試料を入れ、円すい１又は平円板２を一定の角速度ω若しくはトルクＴで回転させ、定常状態に達したときの平円板２又は円すい１が受けるトルク若しくは角速度を測定し、試料の粘度ηを次式により算出する。
η＝１００×（３α／２πＲ3）・（Ｔ／ω）
η：試料の粘度（mPa・s) (Pa・s＝103cps）
α：平円板と円すいがなす角度（rad）
π：円周率
Ｒ：円すいの半径（cm)
Ｔ：平円板又は円すい面に作用するトルク（１０−7Ｎ・ｍ）
ω：角速度（rad/s)
【００１５】
（２）眼科用組成物の粘度測定
本発明組成物の粘度は、市販の円すい−平板形回転粘度計と適宜選択されたロータとを用いて測定することができ、そのような粘度計の例には、Ｅ型粘度計［トキメック(ＴＯＫＩＭＥＣ)製、東機産業（日本）から販売］、シンクローレクトリックＰＣ型(ブルックフィールド、米)、フェランティシャーリー(フェランティ、英)、ロートビスコR(ハーケ、独)、ＩＧＫハイシャーレオメーター(石田技研、日本)、島津レオメーターR(島津製作所、日本)、ワイセンベルグレオゴニオメーター(サンガモ、英)、メカニカルスペクトロメーター(レオメトリックス、米)等がある。実施例で示す本発明組成物の粘度は、これらの内、Ｅ型粘度計の１つであるＤＶＭ−Ｅ型粘度計を用い、業者の指示に従って測定した値であることから、以下に、該装置を用いる方法を説明する。
ＤＶＭ−Ｅ型粘度計は、第２図に示す構造を有し、粘度計本体５側に、第３図に記載のコーンロータ１（上記円すい１に相当）が、アダプタ・スリーブ３側にプレート又はサンプルカップ２（上記平円板２に相当）が、それぞれ取り付けられている。アジャスタ・リング４はアダプタ・スリーブ３とネジでかみ合っており、その回転に応じて、コーンロータ１とプレート２とが接近又は離れるよう構成されている。第３図に示すように、コーンロータ１の中心には微小突起６があり、該突起６とコーンロータ１の円錐の仮想頂点からの距離をｄとする。コーンロータ１は、スプリングを介して定速で回るシンクロナス・モータ（いずれも図示せず）で回転される。そのとき、コーンロータ１に液体の粘性抵抗トルクが働くと、スプリングがそのトルクと釣り合うところまで捩れ、その捩れ角に基づいて、液体の粘度が自動的に計算されて計器に表示される仕組みになっている。
【００１６】
測定条件
測定に際しては、コーン角度１°３４’、コーン半径２.４cmのＤＶＭ−Ｅ型粘度計に付属の標準コーンロータ１をフルスケール・トルク６７.４×１０-6Ｎｍのスプリングを介してモータで回転させた。微小突起６の円錐の仮想頂点からの距離ｄは１２.７μmである。
粘度計を回転軸が水平面に対して垂直になるように設置し、被検試料１mlをサンプルカップ２に入れ、該サンプルカップ２を、コーンロータ１を取り付けた本体５に装着し、温度が２０℃になるまで放置した。次いで、装置を５０rpmで回転させ、表示された粘度を読み取った。なお、高精度の測定結果を得るために、被検試料測定前に、JIS Z 8809により規定されている石油系の炭化水素油（ニュートン流体）を校正用標準液として用い、測定値が標準液の粘度に一致するように調整した。この標準液は、２０℃、３０℃、４０℃における粘度が±０.１％の精度で保証されている。
なお、ＤＶＭ−Ｅ型粘度計以外の市販の機種を用い、上記と同様にコーンロータを選択して実施し、適宜校正することにより、同等の結果を得ることができることは、当業者ならば容易に理解しうることである。
【００１７】
実施例１〜３０  コンタクトレンズ用液剤
下記の表１〜６に記載の比率で、各成分を滅菌精製水中で無菌的に調合して、コンタクトレンズ用液剤を調製する。なお、粘度は上記の方法で ２０℃において測定した値である。
【００１８】
【表１】
2008026917.tif 000002
【００１９】
【表２】
2008026917.tif 000003
【００２０】
【表３】
2008026917.tif 000004
【００２１】
【表４】
2008026917.tif 000005
【００２２】
【表５】
2008026917.tif 000006
【００２３】
【表６】
2008026917.tif 000007
【００２４】
実施例３１  コンタクトレンズ洗浄剤
１００ｍｌ中
ホウ酸                                                    ０.２
ホウ砂                                                    ０.０４５
ポリオキシエチレン(20)ポリプロピレン(4)セチルエーテル     ０.５
塩化ナトリウム                                            ０.７
ポリビニルピロリドンＫ９０                                ２.５
エデト酸ナトリウム                                        ０.０５
滅菌精製水                                                適量    
全量                                                        １００ｍｌ
以上を無菌的に調合した後、ポリエチレン製容器に充填し、コンタクトレンズ洗浄剤（粘度１５cps）とする。
【００２５】
実施例３２  コンタクトレンズ洗浄剤
１００ｍｌ中
ホウ酸                                    ０.３
ホウ砂                                    ０.０６
ポロクサマー４０７                        ０.１
塩化ナトリウム                            １.０
ポリビニルピロリドンＫ９０                ２.２
エデト酸ナトリウム                        ０.０５
滅菌精製水                                適量    
全量                                      １００ｍｌ
以上を無菌的に調合した後、ポリプロピレン製容器に充填し、コンタクトレンズ洗浄剤（粘度１０cps）とする。
【００２６】
試験例１  使用感の官能試験
実施例３２記載の処方において、表７に記載の通り、ポリビニルピロリドン（ＰＶＰ）Ｋ９０を０、１、２、３又は５.２％含有する試験液を調製し、コンタクトレンズのこすり洗いにおける官能試験を行った。即ち、コンタクトレンズ装用者１０名（酸素透過性ハードコンタクトレンズ使用者４名；ソフトコンタクトレンズ使用者６名）に、これらの試験液を用いた場合のこすり洗いのし易さを評価させた。
【表７】
2008026917.tif 000008
【００２７】
結果を以下の表８に示す。
【表８】
2008026917.tif 000009
上記の表８から明らかなように、酸素透過性ハードコンタクトレンズ及びソフトコンタクトレンズの使用者のいずれにおいても、処方Ｃが最もこすり洗いし易いと評価する比率が高く、粘度としては１０cps付近が適切であることが示された。
【００２８】
試験例２  粘度安定性試験
以下の表９〜１１に記載の処方１〜１４に従って試験液を調製し、コンタクトレンズ用液剤の粘度安定性を検討した。試験液は、下記の表９の成分（w／v％)を用い、上記実施例と同様にして調製した。なおこの試験例においては、粘度はＥ型粘度計を用い、上記した方法で２０℃において測定した。
【表９】
2008026917.tif 000010
【００２９】
【表１０】
2008026917.tif 000011
【００３０】
【表１１】
2008026917.tif 000012
【００３１】
各処方の試験液をポリプロピレン（ＰＰ）容器に１０ml充填した。試験開始時及び１０日目にサンプリングし、２０℃における粘度を測定した。結果を以下の表１２に示す。
【表１２】
2008026917.tif 000013
表１２に示すように、増粘剤の種類による安定性は、ＰＶＰ＞ＨＥＣの順に安定であり、ＰＶＰが最も好ましい。緩衝剤の濃度については０.１〜２.０％で特に粘度が安定であった。また異なる粘度で比較した場合、５から２５cpsまでは特に安定であった。
一方、処方１４のＰＶＰのみでは、明らかに粘度の低下が見られた。
【００３２】
試験例３  コンタクトレンズのサイズ変化
以下の表１３に記載の割合（w／v％)の成分を用い、実施例と同様に処理することにより、塩化ナトリウム濃度がホウ酸及びその塩の合計濃度に対して１.５倍、２.２倍及び３.３倍である試験液を調製した。
【表１３】
2008026917.tif 000014
【００３３】
各試験液にコンタクトレンズ（セイコーＣＳＩＥＸ）を２時間浸漬するか、試験液中で、レンズ供給者指定の煮沸器（セイコーマイクロバイオライザー）を用いて１回煮沸（９０分）した後、レンズサイズを万能投影機を用いて測定し、試験開始前のサイズと比較した。結果を以下の表１４に示す。
【表１４】
2008026917.tif 000015
表１４は、ホウ酸及びその塩の合計濃度に対する塩化ナトリウムの比率が最も高い試験液Ｃを用いた場合、レンズサイズの変化は最も小さいことを示している。また、塩化ナトリウムの比率が高くなるほど、レンズサイズの変化が小さくなっていることから、塩化ナトリウムの濃度はホウ酸及びその塩の合計濃度の２倍以上が適当であり、３倍以上であることがより好ましいことが分かる。
【００３４】
試験例４  容器による粘度安定性
下記記載の処方１５の試験液を調製し、試験開始前にサンプルを抜き取り、Ｅ型粘度計を用いて上記した方法で２０℃において測定した。その後素材が異なる実施例３３〜３６及び比較例１の容器に試験液を充填し６０℃の恒温器に保存した。試験１０日目に再びサンプルを抜き取り、同様に粘度を測定した。
結果を表１５に示す。比較例１のガラス容器では明らかに粘度の低下が認められたが、実施例３３から３６までのプラスチック容器ではいずれも粘度は安定であった。
（処方１５）
単位（w/v％）
ホウ酸                  ０．４５
ホウ砂                  ０．０３５
ＰＶＰ  Ｋ９０          ２．５
（容器素材）
実施例３３  ポリエチレン
実施例３４  ポリプロピレン
実施例３５  ポリエチレンテレフタレート
実施例３６  ポリカーボネート
比較例１    ガラス
【表１５】
2008026917.tif 000016
【図面の簡単な説明】
【００３５】
【図１】粘度測定のための円すい−平板形回転粘度計の一例を示す略図である。
【図２】１つの円すい−平板形回転粘度計の縦断側面図である。
【図３】第２図の粘度計の要部を示す正面図である。
【符号の説明】
【００３６】
１  円すい（コーンロータ）
２  平円板（サンプルカップ）
３  アダプタ・スリーブ
４  アジャスタ・リング
５  粘度計本体
６  微小突起
【図１】
2008026917.tif 000017
【図２】
2008026917.tif 000018
【図３】
2008026917.tif 000019